(57)【特許請求の範囲】
【請求項１】
写真処理装置の装置本体に開閉可能に設けた開閉扉のロック機構であって、
該ロック機構は、装置本体内に設けた被係止部に係止可能な係止部と被係止部に対する前記係止部の係止を解除するための把手部とを有する操作部材と、開閉扉に組付けられて、前記操作部材を回動自由に保持するための保持部材とを備え、前記保持部材には、操作部材を回動可能に枢支するための保持部を設けて、該保持部に、前記操作部材の回動支点を中心とする円弧状の被摺接面を設け、該被摺接面には、前記係止部を保持部材の内方側に挿入するための挿入口を形成する一方、前記操作部材には、前記被摺接面に摺接する摺接面を持つ枢支部を設けて、該枢支部を前記保持部材の保持部に枢支していることを特徴とする写真処理装置における開閉扉のロック機構。
【請求項２】
枢支部の摺接面と保持部の被摺接面との間に遮光部材を介装している請求項１記載の写真処理装置における開閉扉のロック機構。
【請求項３】
操作部材には枢支部の摺接面から径方向外方に延びる当たり面を形成すると共に、保持部材には前記当たり面が重合可能で前記操作部材の回転を規制する規制面を形成し、係止部の被係止部への係止時、当たり面を規制面に重合させるようにしている請求項１又は２記載の写真処理装置における開閉扉のロック機構。
【発明の詳細な説明】
【０００１】
【産業上の利用分野】
本発明は、写真処理装置における開閉扉のロック機構に関するものである。
【０００２】
【従来の技術】
一般に写真処理装置は、例えば、装置本体に、未現像のフィルムを現像処理するためのフィルム現像処理装置と、現像済のネガフィルムの画像を印画紙に焼き付けるための露光装置と、露光装置で露光済の印画紙を現像処理するための印画紙現像処理装置とを搭載して成り、未現像のフィルムを、フィルム現像処理装置で現像処理した後、現像されたフィルムの画像を露光装置で印画紙に焼き付ける一方、画像を焼き付けた印画紙を印画紙現像処理装置で現像して、プリントを仕上げるようにしている。
【０００３】
また以上の写真処理装置では、装置本体内に搭載された露光装置の構成部材のメンテナンス等を行うために、装置本体内の側部を開閉扉により開閉可能とし、該開閉扉の内面側には、装置本体内に設けた被係止部に係合可能な係止部を持つロック機構に組み込むと共に、該ロック機構には、開閉扉の外から前記係止部を動作させてロック解除を行える把手を設け、装置本体の運転時には、該ロック機構を介して前記開閉扉を閉じた状態でロックしておく一方、例えば露光部のメンテナンス作業等に際しては、前記把手の操作により、開閉扉のロックを解除して、該開閉扉を開くようにしている。
【０００４】
【発明が解決しようとする課題】
ところで以上の写真処理装置の装置本体内には、印画紙等の感光材料が搭載されていることから、開閉扉に設けたロック機構の組付け部位、特に開閉扉の外側に設けられる前記把手と開閉扉の内側に設けられる前記係止部とを結ぶ連動機構の周囲から外部の光が装置本体内に侵入するのを阻止する必要がある。
【０００５】
そのため従来では、別途、遮光専用のカバーを形成して、該カバーをロック機構の周りに組付けて、外部の光が開閉扉におけるロック機構の組付け部位から装置本体内に侵入するのを防止するようにしているが、以上の構造のものでは、遮光専用のカバーを別途用意しなければならないので、それだけ部品点数並びに組付け手間が多くなるのは勿論のこと、前記ロック機構の動作に支障なくしかも遮光を確実とするためには、カバーの形状を複雑にしなければならない等の問題がある。
【０００６】
本発明は以上の実情に鑑みて開発されたものであって、目的とするところは、遮光用のカバー等を別途用意しなくとも遮光性に優れた開閉扉のロック機構を提供するにある。
【０００７】
【課題を解決するための手段】
以上の目的を達成するために請求項１の発明は、開閉扉のロック機構を、装置本体内に設けた被係止部に係止可能な係止部と被係止部に対する前記係止部の係止を解除するための把手部とを有する操作部材と、開閉扉に組付けられて、前記操作部材を回動自由に保持するための保持部材とから構成し、保持部材には、操作部材を回動可能に枢支するための保持部を設けて、該保持部に、前記操作部材の回動支点を中心とする円弧状の被摺接面を設けると共に、該被摺接面には、前記係止部を保持部材の内方側に挿入するための挿入口を形成する一方、前記操作部材に、前記被摺接面に摺接する摺接面を持つ枢支部を設けて、該枢支部を前記保持部材の保持部に枢支したのである。
【０００８】
請求項２記載の発明は、請求項１記載のロック機構において、枢支部の摺接面と保持部の被摺接面との間に遮光部材を介装したのである。
また請求項３記載の発明は、請求項１又は２記載のロック機構において、操作部材に、枢支部の摺接面から径方向外方に延びる当たり面を形成すると共に、保持部材に、前記当たり面が重合可能で前記操作部材の回転を規制する規制面を形成し、係止部の被係止部への係止時、当たり面を規制面に重合させるようにしたのである。
【０００９】
【実施例】
図１は、本発明にかかるロック機構を組み込んで成る写真処理装置を概略的に示したものであって、この写真処理装置は、基本的には、装置本体１に、フィルムの画像を印画紙に焼き付けるための露光装置２と、この露光装置２で露光済の印画紙を現像処理するための現像処理装置３と、現像された印画紙を所謂プリントとして排出するプリント排出装置４とを搭載して成り、露光装置２で、ペーパーマガジンから順次引き出される印画紙にフィルムの画像を焼き付けて、該印画紙を現像処理装置３で現像処理を行った後、プリント排出装置４から排出するようにしている。
【００１０】
また以上の写真処理装置では、装置本体１の側部に作業テーブル１０を設けると共に、装置本体１内に搭載している露光装置２のメンテナンス等を行うために、前記作業テーブル１０の下方の装置本体１内部を、本発明にかかるロック機構６を備えた開閉扉５により開閉可能としているのであって、この開閉扉５は、その一側端を前記装置本体１にヒンジ（図示せず）を介して枢着して、横開き可能としたものである。
【００１１】
次に開閉扉５のロック機構６を説明する。
該ロック機構６は、基本的には、装置本体１内に設けた被係止部１１に係止可能な係止部７１と前記被係止部１１に対する前記係止部７１の係止を解除するための把手部７２とを有する操作部材７と、開閉扉５の組付け孔５１に嵌合により組付けられて、前記操作部材７を回動自由に保持するための保持部材８とから成る。
【００１２】
前記保持部材８は、正面視ほぼ長方形に形成されたものであって、操作部材７が内装可能な凹所８０を備え、該凹所８０内の一側方には、前記操作部材７を枢軸７０を介して回動可能に保持するための保持部８１を設けると共に、該保持部８１を画成する前記凹所８０の底壁８２を、前記操作部材７の回動支点Ｐを中心とする半円弧状に形成して、該底壁８２に円弧状の被摺接面８３を設けている。
【００１３】
また前記底壁８２で且つ前記被摺接面８３の中央部位には、操作部材７の係止部７１を保持部材８の内方側、換言すれば開閉扉５の内方側に挿入するための挿入口８４を開設すると共に、該底壁８２の裏面には、コイルスプリング９の一端側を格納する格納室８５を備えた第１スプリング受け部８６を一体形成している。
【００１４】
一方、操作部材７は、前記被摺接面８３に摺接する摺接面７３を持つ円柱状の枢支部７４を備えて成り、図３に示すごとく、枢支部７４の摺接面７３からフック状の係止部７１及びプレート状の把手部７２を、該枢支部７４のほぼ径方向外方に突設しているのであって、前記把手部７２の高さＬ１は、前記枢支部７４の高さＬ２と略同一とすると共に、前記枢支部７３には、前記コイルスプリング９の他端側を受け止める第２スプリング受け部７５を設けている。
【００１５】
そして以上の操作部材７は、枢支部７４を前記保持部材８の保持部８１に枢軸７０を介して枢支すると共に、前記保持部材８側の第１スプリング受け部８６と、操作部材７側の第２スプリング受け部７４との間にコイルスプリング９を介装して、該コイルスプリング９のバネ反力により、操作部材７を、前記係止部７１が被係止部１１と係合する方向に回動付勢させている。
【００１６】
また図に示す実施形態では、操作部材７における前記把手部７２の基部には、枢支部７４の摺接面７３から径方向外方に延びる当たり面７６を持つ突起７７を形成する一方、前記保持部材８における凹所８０の底壁８２には、前記操作部材７の回動に伴い、前記当たり面７６に重合して前記操作部材７の回動を規制する規制面８７を形成し、係止部７１の被係止部１１への係止時、当たり面７６を規制面８７に重合させて、操作部材７の回動を規制するようにしている。
【００１７】
尚、前記当たり面７６並びに規制面８７は、枢支部７４における摺接面７３の軸方向全長にわたって形成している。
以上のロック機構を備えた開閉扉にあっては、開閉扉５の閉鎖時には、図３に示すように、コイルスプリング９のばね反力により、操作部材７が図３において時計方向に回動付勢して、操作部材７の係止部７１が被係止部１１に確実に係合しているので、開閉扉５が不用意に開くことはない。
【００１８】
一方、開閉扉５の開放に際しては、把手部７２を開閉扉５の手前側（図３において矢印Ｘ方向）に引いて、操作部材７をコイルスプリング９に抗して図３の２点鎖線で示す位置に回動させるだけで、被係止部１１に対する係止部７１の係合が直ちに解除されて、開閉扉５を開くことが出来るのである。
しかして以上のロック機構にあっては、前記摺接面７３と被摺接面８３とが同一の曲率半径でもって摺接し、挿入口８４の周りが全周にわたって摺接面７３と被摺接面８３との摺接によりシールされるので、外部の光が前記挿入口８４から開閉扉５の内部側に侵入することがないのである。
【００１９】
しかも開閉扉の閉鎖時において、図３において実線で示すように、互いに重合する当たり面７６と規制面８７とは、前記摺接面７３に対して直交する方向に延びているので、かかる当たり面７６と規制面８７との重合部位に光が侵入したとしても、前記摺接面７３で受け止められることから、挿入口８４から開閉扉５の内部側に光が侵入するのをより確実に阻止されるのである。
【００２０】
以上の実施形態では、摺接面と被摺接面とが同一の曲率半径でもって摺接して、遮光するようにしているが、遮光性をより一層高めるために、例えば図４に示すように、保持部８１の被摺接面８３に前記挿入口８４の周囲を囲む凹溝８８を設けて、該凹溝８８に発泡ゴムから成る遮光部材８９を組み込んで、該遮光部材８９を枢支部７４の摺接面７３と保持部８１の被摺接面８３との間に介装するようにしてもよい。
【００２１】
【発明の効果】
以上のごとく請求項１記載のロック機構によれば、該ロック機構を、装置本体内に設けた被係止部に係止可能な係止部と被係止部に対する前記係止部の係止を解除するための把手部とを有する操作部材と、開閉扉に組付けられて、前記操作部材を回動自由に保持するための保持部材とから構成し、保持部材には、操作部材を回動可能に枢支するための保持部を設けて、該保持部に、前記操作部材の回動支点を中心とする円弧状の被摺接面を設けると共に、該被摺接面には、前記係止部を保持部材の内方側に挿入するための挿入口を形成する一方、前記操作部材に、前記被摺接面に摺接する摺接面を持つ枢支部を設けて、該枢支部を前記保持部材の保持部に枢支したことにより、挿入口の周りが全周にわたって前記摺接面と被摺接面との摺接によりシールすることが出来て、外部の光が開閉扉の内部側に侵入することがなく、従って従来のように、遮光用のカバー等を別途用意しなくとも遮光性に優れた開閉扉のロック機構を提供することが出来る。
【００２２】
また請求項２記載の発明によれば、請求項１記載のロック機構において、枢支部の摺接面と保持部の被摺接面との間に遮光部材を介装したことにより、挿入口の周りをより一層確実にシールすることが出来る。
また請求項３記載の発明は、請求項１又は２記載のロック機構において、操作部材に、枢支部の摺接面から径方向外方に延びる当たり面を形成すると共に、保持部材に、前記当たり面が重合可能で前記操作部材の回転を規制する規制面を形成し、係止部の被係止部への係止時、当たり面を規制面に重合させるようにしたことにより、開閉扉の閉鎖時において、光が前記摺接面に対して直交する方向に延びる当たり面と規制面との重合部位に侵入したとしても、前記摺接面で受け止められることから、光が挿入口から開閉扉の内部側に侵入するのをより一層確実に阻止することが出来る。
【図面の簡単な説明】
【図１】本発明のロック機構を備えた写真処理装置の概略斜視図。
【図２】開閉扉の要部の正面図。
【図３】本発明にかかるロック機構を一部切り欠いて示す説明図。
【図４】別の実施形態を示す要部の説明図。
【符号の説明】
１      装置本体
１１    被係止部
５      開閉扉
６      ロック機構
７      操作部材
７１    係止部
７２    把手部
７３    摺接面
７４    枢支部
７６    当たり面
８      保持部材
８１    保持部
８３    被摺接面
８４    挿入口
８７    規制面
【図１】
0003896690.tif 000002
【図２】
0003896690.tif 000003
【図３】
0003896690.tif 000004
【図４】
0003896690.tif 000005